(57)【要約】【課題】使用中の騒音を有効に防止でき、積み木の色彩の変化が極めて豊富であり、積み木を握る感覚がもっと快適になる。【解決手段】所定造形を持つ樹脂本体と、所定造形に一体成形された軟質樹脂補助体とから構成される積み木において、前記樹脂本体と前記軟質樹脂補助体とを組立てて構成される積み木は、使用中の騒音を有効に防止でき、且つ前記樹脂本体と軟質樹脂補助体との顔色が異なるので、色彩の変化が極めて豊富であることを特徴とする積み木。【選択図】図１
0003105344.tif 000002
【実用新案登録請求の範囲】
【請求項１】
所定造形を持つ樹脂本体と、所定造形に一体成形された軟質樹脂補助体とから構成される積み木において、
前記樹脂本体と前記軟質樹脂補助体とを組立てて構成される積み木は、使用中の騒音を有効に防止でき、且つ前記樹脂本体と軟質樹脂補助体との顔色が異なるので、色彩の変化が極めて豊富であることを特徴とする、
積み木。
【請求項２】
前記樹脂本体は、四辺の側面には嵌め孔が形成され、前側の表面には後側まで貫通する段階付き貫通孔が形成され、前記段階付き貫通孔の末端には貫通孔が開けてあり、且つ四辺の側面にある前記嵌め孔の前側に向く方向には型抜き用案内溝が設けてあり、そして四辺の側面の接する角部には角部窪みが設けてあり、且つ前側の表面において、前記各角部窪みから中央にある段階付き貫通孔までは溝がそれぞれ設けてあることを特徴とする、請求項１に記載の積み木。
【請求項３】
前記軟質樹脂補助体は、前記樹脂本体に応じてブシュが中央に形成され、前記ブシュの中心には嵌着部が形成され、且つ前記樹脂本体に応じて前記ブシュの末端には段階部が形成され、前記段階部の外徑は前記嵌着部と緊密に合い、前記樹脂本体の各角部窪みと、各角部窪みから中央までの前記各溝とには、第二嵌合部と第一嵌合部とがそれぞれ前記ブシュの外周に形成されることを特徴とする、請求項１に記載の積み木。
【請求項４】
前記軟質樹脂補助体は、ゴムを採用してもいいことを特徴とする、請求項３に記載の積み木。
【考案の詳細な説明】
【技術分野】
【０００１】
この考案は積み木に係り、特に所定造形を持つ樹脂本体と、所定造形に一体成形された軟質樹脂補助体とから組立てて構成され、使用中の騒音を有効に防止でき、且つ樹脂本体と軟質樹脂補助体との顔色が異なるので、色彩の変化が極めて豊富であると共に、軟質樹脂補助体により握ることがもっと快適になる積み木に関する。
【背景技術】
【０００２】
遊びは子供の成長過程において最も重要な学習方式である。一つ一つの小さな積み木を組立てる過程中に、子供の創意の潜在能力が励起されるので、積み木は、遊んでいる間に学習の目的も達成する効果を有する。そして、製造コストが低いので、安い値段で購入すれば、親子が一緒に楽しむことができる。
【０００３】
市販している積み木は、立方体な形状や所定造形な形状を採用するのが多い。上記形状を持つ積み木の組立て方法の変化が多いので、子供は思った通りに各形態の作品を組立てることができる。
【考案の開示】
【考案が解決しようとする課題】
【０００４】
しかしながら、従来のものは次のような欠点があった。
（１）従来の積み木は硬い樹脂で成形され、その顔色が単一であるので、単調な感覚は子供の注意力を呼ぶことができなく、且つ硬い樹脂で作製される積み木は、遊んでいる間に、積み木の落下や衝突や組立てが騒音を発生する。
【０００５】
（２）射出成形で作製される積み木は、樹脂本体の四周の角部にはバリが残留するので、前記バリに当たると、怪我や痛みを伴うことがよくあり、且つ積み木の角部は硬いので、思わず足で踏むと、極めて痛い感覚がする。
【０００６】
（３）積み木の互いに嵌合するための嵌着部及び段階部は、射出成形での素材の収縮率の影響により、嵌着部の内径と、段階部の外徑とが設計の通りに作製することができないので、一部の積み木が緩めすぎで、一部の積み木が緊迫すぎなので、組立ては極めて面倒である。
【０００７】
このため、従来の積み木は、製造コストは低いが、製造方法及び材質の制限で、完璧な製品とは言えなく、改善の余地が残っている。
【課題を解決するための手段】
【０００８】
上記欠点を解決するためになされた本願の考案は、所定造形を持つ樹脂本体と、所定造形に一体成形された軟質樹脂補助体とから構成される積み木において、前記樹脂本体と前記軟質樹脂補助体とを組立てて構成される積み木は、使用中の騒音を有効に防止でき、且つ前記樹脂本体と軟質樹脂補助体との顔色が異なるので、色彩の変化が極めて豊富であることを特徴とする積み木であることを要旨としている。
【０００９】
本願の考案では、前記樹脂本体は、四辺の側面には嵌め孔が形成され、前側の表面には後側まで貫通する段階付き貫通孔が形成され、前記段階付き貫通孔の末端には貫通孔が開けてあり、且つ四辺の側面にある前記嵌め孔の前側に向く方向には型抜き用案内溝が設けてあり、そして四辺の側面の接する角部には角部窪みが設けてあり、且つ前側の表面において、前記各角部窪みから中央にある段階付き貫通孔までは溝がそれぞれ設けてあることを特徴とする請求項１に記載の積み木であることを要旨としている。
【００１０】
本願の考案では、前記軟質樹脂補助体は、前記樹脂本体に応じてブシュが中央に形成され、前記ブシュの中心には嵌着部が形成され、且つ前記樹脂本体に応じて前記ブシュの末端には段階部が形成され、前記段階部の外徑は前記嵌着部と緊密に合い、なお、前記樹脂本体の各角部窪みと、各角部窪みから中央までの前記各溝とには、第二嵌合部と第一嵌合部とがそれぞれ前記ブシュの外周に形成されることを特徴とする請求項１に記載の積み木であることを要旨としている。
【００１１】
本願の考案では、前記軟質樹脂補助体は、ゴムを採用してもいいことを特徴とする請求項３に記載の積み木であることを要旨としている。
【考案の効果】
【００１２】
この考案に係る積み木によれば、使用中の騒音を有効に防止でき、且つ樹脂本体と軟質樹脂補助体との顔色が異なるので、色彩の変化が極めて豊富であると共に、軟質樹脂補助体により握ることがもっと快適になる。
【考案を実施するための最良の形態】
【００１３】
以下、添付図面を参照して本考案の好適な実施の形態を詳細に説明する。
【００１４】
まず、図１を参照する。この考案に係る積み木は、所定造形を持つ樹脂本体１と、所定造形に一体成形された軟質樹脂補助体２とから構成される。
【００１５】
前記樹脂本体１は、中空な立方体を呈し、四辺の側面には嵌め孔１１が形成され、前側の表面には後側まで貫通する段階付き貫通孔１２が形成され、前記段階付き貫通孔１２の末端には貫通孔１３が開けてあり、且つ四辺の側面にある前記嵌め孔１１の前側に向く方向には型抜き用案内溝１１１が設けてあり、そして四辺の側面の接する角部には角部窪み１４が設けてあり、且つ前側の表面において、前記各角部窪み１４から中央にある段階付き貫通孔１２までは溝１５がそれぞれ設けてある。
【００１６】
前記軟質樹脂補助体２は、ゴムで作製され、前記樹脂本体１に応じてブシュ２１が中央に形成され、前記ブシュ２１の中心には嵌着部２１１が形成され、且つ前記樹脂本体１に応じて前記ブシュ２１の末端には段階部２２が形成され、前記段階部２２の外徑は前記嵌着部２１１と緊密に合い、なお、前記樹脂本体１の各角部窪み１４と、各角部窪み１４から中央までの前記各溝１５とには、第二嵌合部２４と第一嵌合部２３とがそれぞれ前記ブシュ２１の外周に形成される。
【００１７】
また、図２乃至図４を参照する。この考案に係る積み木の製造方法は、二色射出形成法により、樹脂本体１と、軟質樹脂補助体２とを一体化にする。
【００１８】
これにより、この考案に係る積み木は、軟質樹脂の材料特性により、落下や衝突や組立てのときには騒音が発生しなく、騒音を有効に防止することができる。また、二色射出形成法を採用するので、マーケットのニーズに合うように異なる顔色の原料を採用し、豊富な色彩変化を作り出すことができる。そして、この考案に係る積み木の各角部は軟質樹脂で作製されるので、射出成形によるバリを無くすことができ、積み木の角部に当たると、怪我や痛みをすることがなく、且つ思わずに足が積み木を踏んでも、痛い感覚がしない。
【００１９】
また、この考案に係る積み木は、図３に示すように、樹脂本体１の四辺の側面に嵌め孔１１が設けてあり、また、互いに嵌合するための嵌着部２１１及び段階部２２は軟質樹脂補助体２で形成される。
【００２０】
だから、樹脂本体１と軟質樹脂補助体２とを一体に成形される積み木は、軟質樹脂補助体２が弾性を持つので、樹脂本体１が射出成形の材料収縮率の影響を受けても、軟質樹脂補助体２で形成されるブシュ２１は、嵌着部２１１と段階部２２との嵌め合いが材料収縮率に影響されないので、積み木を組立てるときに、各積み木が緊密に結合することができる。
【００２１】
また、図５乃至図８を参照する。それは、この考案の他の実施形態であり、二つ以上に並列する樹脂本体１′の後側には隙間１６′が形成され、樹脂本体１′と一体化した軟質樹脂補助体２′が撓み性を持つ延長段２５′によって二つの樹脂本体１′を連接することにより、二つ以上の樹脂本体１′を自由な角度に曲げて別の積み木と結合することができる。だから、子供が思った通りに本考案に係る積み木を組立てて創意を無限に発揮することができる。
【図面の簡単な説明】
【００２２】
【図１】この考案に係る積み木の構造を示す分解斜視図である。
【図２】この考案に係る積み木の組立てた状態を示す斜視図である。
【図３】この考案に係る積み木の側面断面図である。
【図４】この考案に係る積み木の使用形態を示す概略図である。
【図５】この考案に係る積み木の他の実施形態の前側から見る斜視図である。
【図６】この考案に係る積み木の他の実施形態の後側から見る斜視図である。
【図７】この考案に係る積み木の他の実施形態の上面図である。
【図８】この考案に係る積み木の他の実施形態の使用形態を示す概略図である。
【符号の説明】
【００２３】
１          樹脂本体                １１        嵌め孔
１２        段階付き貫通孔          １３        貫通孔
１１１      案内溝                  １４        角部窪み
１５        溝                      ２          軟質樹脂補助体
２１        ブシュ                  ２１１      嵌着部
２２        段階部                  ２３        第一嵌合部
２４        第二嵌合部
１′        樹脂本体                １６′      隙間
２′        軟質樹脂補助体          ２５′      延長段
【図１】
0003105344.tif 000003
【図２】
0003105344.tif 000004
【図３】
0003105344.tif 000005
【図４】
0003105344.tif 000006
【図５】
0003105344.tif 000007
【図６】
0003105344.tif 000008
【図７】
0003105344.tif 000009
【図８】
0003105344.tif 000010
【手続補正書】
【提出日】平成16年4月5日(2004.4.5)
【手続補正１】
【補正対象書類名】実用新案登録請求の範囲
【補正対象項目名】請求項１
【補正方法】変更
【補正の内容】
【請求項１】
所定造形を持つ樹脂本体と、所定造形に一体成形された軟質樹脂補助体とから構成される積み木において、
前記樹脂本体と前記軟質樹脂補助体との顔色が異なるように組立てて構成したことを特徴とする、
積み木。
【手続補正書】
【提出日】平成16年7月26日(2004.7.26)
【手続補正１】
【補正対象書類名】実用新案登録請求の範囲
【補正対象項目名】全文
【補正方法】変更
【補正の内容】
【実用新案登録請求の範囲】
【請求項１】
所定造形を持つ樹脂本体と、所定造形に一体成形された軟質樹脂補助体とから構成される積み木において、
前記樹脂本体は、四辺の側面には嵌め孔が形成され、前側の表面には後側まで貫通する段階付き貫通孔が形成され、
前記段階付き貫通孔の末端には貫通孔が開けてあり、且つ四辺の側面にある前記嵌め孔の前側に向く方向には型抜き用案内溝が設けてあり、
そして四辺の側面の接する角部には角部窪みが設けてあり、且つ前側の表面において、前記各角部窪みから中央にある段階付き貫通孔までは溝がそれぞれ設けてあることを特徴とする、
積み木。
【請求項２】
前記軟質樹脂補助体は、前記樹脂本体に応じてブシュが中央に形成され、前記ブシュの中心には嵌着部が形成され、且つ前記樹脂本体に応じて前記ブシュの末端には段階部が形成され、前記段階部の外徑は前記嵌着部と緊密に合い、前記樹脂本体の各角部窪みと、各角部窪みから中央までの前記各溝とには、第二嵌合部と第一嵌合部とがそれぞれ前記ブシュの外周に形成されることを特徴とする、請求項１の積み木。
【請求項３】
前記軟質樹脂補助体は、ゴムを採用してもいいことを特徴とする、請求項２に記載の積み木。